(57)【要約】【課題】  ストラップを身体に装着したままでも容易にその長さを調整可能とする新規なストラップの伸縮調整技術を提供することにある。【解決手段】  ストラップ１０の伸縮調整機構は、ストラップ本体１１の一部を上片２０と下片３０の重ね合わせた伸縮調整部４０とする。この伸縮調整部４０の上片２０は図面上左方へ延び、下片３０はこれとは正反対の右方へ延びている。そして、上片２０の端部２１には下片３０を通す帯体２５を、下片３０の端部３１には上片２０を通す帯体３５をそれぞれ備えている。また、上片２０の端部２１には耳部２７を、下片３０の帯体３５には耳部３７をそれぞれ形成する。その他に、滑り止め部材５０、ストッパー部材１２，１２を設けている。【選択図】  図１
2006087470.tif 000002
【特許請求の範囲】
【請求項１】
ストラップの長さを調整可能とする伸縮調整機構であって、
その伸縮調整機構は、ストラップ本体の一部を上片と下片の重ね合わせた伸縮調整部とし、
伸縮調整部の上片は一方へ延び、下片は他方へ延びながら、上片の端部には下片を通す帯体を、下片の端部には上片を通す帯体をそれぞれ備えたことを特徴とするストラップの伸縮調整機構。
【請求項２】
上片をスライドさせるために上片の端部に指でつかめる耳部を、下片をスライドさせるために下片の帯体に指でつかめる耳部をそれぞれ備えたことを特徴とする請求項１記載のストラップの伸縮調整機構。
【請求項３】
上片と下片の接する摺接面に滑り止め部材を取り付けたことを特徴とする請求項１又は２記載のストラップの伸縮調整機構。
【請求項４】
上片および／または下片のスライド範囲を制御するために、上片および／または下片にストッパー部材を備えたことを特徴とする請求項１から３のいずれかに記載のストラップの伸縮調整機構。
【請求項５】
請求項１から３のいずれかに記載のストラップの伸縮調整機構を備えたストラップ。
【発明の詳細な説明】
【技術分野】
【０００１】
本発明は、携帯電話やカメラなどに取り付けて用いられるストラップについて、その長さを容易に調整可能とする伸縮調整技術に関するものである。
【背景技術】
【０００２】
これまでストラップについては実に様々なものが開発され、販売されている。その中には、ストラップの長さを調整可能とするものもある。特許文献１はその一例である。
【０００３】
【特許文献１】実用新案登録第３０７５７５３号公報
【発明の開示】
【発明が解決しようとする課題】
【０００４】
通常ストラップの長さを調整するためには、いったんストラップを身体から外し、所望の長さに調整してから再び身体に装着するタイプのものが多かった。しかし、このタイプのものには、次のような欠点がある。
（１）上記のような作業は非常に煩わしく、道を歩きながらストラップの長さをちょっと変えるということが難しかった。
（２）また、一度身体から外すため、必ずしも調整した長さが所望した長さになるとは限らず、いったん身体から外して長さを調整し再び身体に装着する作業を何度も繰り返す場合もあった。
【０００５】
そこで、本発明は、ストラップを身体に装着したままでも容易にその長さを調整可能とする新規なストラップの伸縮調整技術を提供することにある。ただし、このストラップの伸縮調整技術は、身体に装着するストラップ（例えば、ネックストラップ）に限られるものではなく、手に持つためのハンドストラップなどその他のストラップにも使用されるものである。
【課題を解決するための手段】
【０００６】
上記課題を解決するために、第一の発明は、ストラップの長さを調整可能とする伸縮調整機構にあって、その伸縮調整機構は、ストラップ本体の一部を上片と下片の重ね合わせた伸縮調整部とし、伸縮調整部の上片は一方へ延び、下片は他方へ延びながら、上片の端部には下片を通す帯体を、下片の端部には上片を通す帯体をそれぞれ備えたことを特徴とするものである。
【０００７】
第二の発明は、上片をスライドさせるために上片の端部に指でつかめる耳部を、下片をスライドさせるために下片の帯体に指でつかめる耳部をそれぞれ備えたことを特徴とするものである。
第三の発明は、上片と下片の接する摺接面に滑り止め部材を取り付けたことを特徴とするものである。
第四の発明は、上片および／または下片のスライド範囲を制御するために、上片および／または下片にストッパー部材を備えたことを特徴とするものである。
【発明の効果】
【０００８】
本発明によれば、以下のような効果を有する。
（１）上片の端部と下片の端部を外側へ引っ張ることで、上片と下片の重ね合わせた伸縮調整部が長くなり、その分ストラップ全体の長さを短くできる。また、ストラップ本体を外側へ引っ張ることで、上片と下片の重ね合わせた伸縮調整部が短くなり、その分ストラップ全体の長さを長くできる。
（２）上記（１）のように上片・下片の端部を外側へ引っ張ったり、ストラップ本体を外側へ引っ張ることで、容易にストラップの長さを変えることができるので、ストラップを首などの身体に装着していても、その装着した状態でストラップの長さを調整できる。
（３）上片の端部および下片の帯体に耳部を備えることで、上片の端部と下片の端部を外側へ引っ張ることが容易になる。
（４）上片と下片の接する摺接面に滑り止め部材を取り付けることで、上片と下片が容易にスライドしなくなり、一度調整したストラップの長さを確実に維持できるようになる。
（５）上片および／または下片にストッパー部材を備えることで、上片および／または下片のスライド範囲が制御され、ストラップの伸縮を一定の範囲にコントロールできる。
【発明を実施するための最良の形態】
【０００９】
本発明の実施形態を図面に基づいて説明する。
図１は、本発明の伸縮調整機構を示す斜視図である。
ストラップ１０の伸縮調整機構は、ストラップ本体１１の一部を上片２０と下片３０の重ね合わせた伸縮調整部４０とする。この伸縮調整部４０の上片２０は図面上左方へ延び、下片３０はこれとは正反対の右方へ延びている。そして、上片２０の端部２１には下片３０を通す帯体２５を、下片３０の端部３１には上片２０を通す帯体３５をそれぞれ備えている。
【００１０】
また、上片２０の端部２１には耳部２７を、下片３０の帯体３５には耳部３７をそれぞれ形成する。耳部２７，３７は指でつかみやすいように先端を細くした略三角形状をしている。ただし、耳部の形状はこれに限られるものではない。
【００１１】
その他に、上片２０と下片３０の接する摺接面２２，３２には、いずれか一方に滑り止め部材５０が取り付けられている。この滑り止め部材５０には、例えば、オペロンゴム若しくはポリエステル素材などが用いられる。
【００１２】
また、上片２０および下片３０のスライド範囲を制御するために、上片２０および下片３０にストッパー部材１２，１２を設けている。このストッパー部材１２，１２は、上片２０の端部２１および下片３０の端部３１の外側にあって、ストラップ本体１１，１１に巻装するようにして取り付けられている。なお、ストッパー部材はこれに限られず、上片２０や下片３０のスライドを停止できるものであればよい。
【００１３】
図２は、以上のような構成の本発明の伸縮調整機構を正面から見た正面図、図３は、同じく平面から見た平面図、図４は、同じく底面から見た底面図である。
【００１４】
図５および図６は、本発明の伸縮調整機構の使用状態を示す説明用正面図である。
図５に示すように、ストラップ本体１１，１１を外側へ引っ張ることで、上片２０と下片３０の重ね合わせた伸縮調整部４０が短くなり、その分ストラップ１０の全体の長さを長くできるのである。
【００１５】
一方、図６に示すように、上片２０の端部２１と下片３０の端部３１を外側へ引っ張ることで、上片２０と下片３０の重ね合わせた伸縮調整部４０が長くなり、その分ストラップ１０の全体の長さを短くできるのである。このとき、上片２０および下片３０にはそれぞれ耳部２７，３７を備えるので、外側へ引っ張ることが容易になる。また、上片２０および下片３０はある一定の距離以上スライドすると、その帯体２５，３５がストッパー部材１２，１２と接触し、スライド範囲を制御される。
【００１６】
図５および図６に示すいずれの場合でも、上片２０と下片３０の接する摺接面２２，３２には、いずれか一方に滑り止め部材５０が取り付けられている。従って、上片２０と下片３０は容易にスライドしなくなり、一度調整したストラップ１０の長さは確実に維持される。
【００１７】
図７は、上記のような伸縮調整機構を備えたストラップ１０をネックストラップとして使用した使用状態を示す説明図である。ちょうどストラップ１０の伸縮調整部４０が首の後ろ側に位置するので、手を後ろに回して耳部２７，３７を外側へ引っ張ったり、ストラップ本体１１，１１を外側へ引っ張ることで、装着したままの状態で極めて容易にストラップ１０の長さを調整できる。
【産業上の利用可能性】
【００１８】
本発明のストラップの伸縮調整技術は、身体に装着するストラップ（例えば、ネックストラップ）に限られるものではなく、手に持つためのハンドストラップなどその他様々な種類のストラップにも使用できるものである。
【図面の簡単な説明】
【００１９】
【図１】本発明の伸縮調整機構を示す斜視図。
【図２】本発明の伸縮調整機構を示す正面図。
【図３】本発明の伸縮調整機構を示す平面図。
【図４】本発明の伸縮調整機構を示す底面図。
【図５】本発明の伸縮調整機構の使用状態を示す説明用正面図。
【図６】本発明の伸縮調整機構の使用状態を示す説明用正面図。
【図７】ネックストラップとして使用した使用状態を示す説明図。
【符号の説明】
【００２０】
１０  ストラップ    １１  ストラップ本体    １２  ストッパー部材
２０  上片    ２１  端部    ２２  摺接面    ２５  帯体    ２７  耳部
３０  下片    ３１  端部    ３２  摺接面    ３５  帯体    ３７  耳部
４０  伸縮調整部    ５０  滑り止め部材
【図１】
2006087470.tif 000003
【図２】
2006087470.tif 000004
【図３】
2006087470.tif 000005
【図４】
2006087470.tif 000006
【図５】
2006087470.tif 000007
【図６】
2006087470.tif 000008
【図７】
2006087470.tif 000009